(57)【要約】【課題】指先の洗浄に用いられる指先洗浄器であって、コンパクトで駆動装置を要せず、しかもブラシが回動運動を行うことにより指先を洗浄することができ、さらに両手指を同時に洗浄することのできる指先洗浄器を開発する。【解決手段】第１ブラシ盤と指孔を有する第１蓋体部が第２ブラシ盤を介して連結固定され、第２ブラシ盤と指孔を有する第２蓋体部が第１ブラシ盤を介して連結固定され、第１ブラシ盤と第２ブラシ盤が枢軸により枢設され第１蓋体部と第２蓋体部の相互回動により両手の指先を同時に洗浄可能である指先洗浄器を提供する。【選択図】        図１
2009005893.tif 000002
【特許請求の範囲】
【請求項１】
片面にリング状にブラシが植設されたブラシ体を有する円盤状の第１ブラシ盤のブラシ体を有しない面側に２以上の連結軸が第１ブラシ盤の中心を通る線分上に該中心を挟んで対称的に且つ第１ブラシ盤に対して垂直方向に突設され該連結軸の他端部に第１ブラシ盤と略同径の円盤状で側壁を有する第１蓋体部が固着され、片面にリング状にブラシが植設されたブラシ体を有する円盤状の第２ブラシ盤のブラシ体を有しない面側に２以上の連結軸が第２ブラシ盤の中心を通る線分上に該中心を挟んで対称的に且つ第２ブラシ盤に対して垂直方向に突設され該連結軸の他端部に第２ブラシ盤と略同径の円盤状で側壁を有する第２蓋体部が固着され、第２ブラシ盤に第１ブラシ盤の２以上の連結軸の夫々が挿通される円弧状の挿通孔が穿設されており、第１ブラシ盤に第２ブラシ盤の２以上の連結軸の夫々が挿通される円弧状の挿通孔が穿設されており、第１ブラシ盤と第２ブラシ盤のブラシ体を有しない面どうしが当接させられ、第１ブラシ盤と第２ブラシ盤の夫々の中心に設けられた中心孔に枢軸が挿通されており該枢軸により第１ブラシ盤と第２ブラシ盤が回動自在に枢設されていて、第１蓋体部及び第２蓋体部の円盤状の部分に夫々指先を挿通できる指孔が穿設されていることを特徴とする指先洗浄器。
【発明の詳細な説明】
【技術分野】
【０００１】
本発明は、両手の指先を同時に洗浄可能な指先洗浄器に関するものであって、さらに詳しくは、片面にリング状にブラシが植設されたブラシ体を有する円盤状の第１ブラシ盤のブラシ体を有しない面側に２以上の連結軸が第１ブラシ盤の中心を通る線分上に該中心を挟んで対称的に且つ第１ブラシ盤に対して垂直方向に突設され該連結軸の他端部に第１ブラシ盤と略同径の円盤状で側壁を有する第１蓋体部が固着され、片面にリング状にブラシが植設されたブラシ体を有する円盤状の第２ブラシ盤のブラシ体を有しない面側に２以上の連結軸が第２ブラシ盤の中心を通る線分上に該中心を挟んで対称的に且つ第２ブラシ盤に対して垂直方向に突設され該連結軸の他端部に第２ブラシ盤と略同径の円盤状で側壁を有する第２蓋体部が固着され、第２ブラシ盤に第１ブラシ盤の２以上の連結軸の夫々が挿通される円弧状の挿通孔が穿設されており、第１ブラシ盤に第２ブラシ盤の２以上の連結軸の夫々が挿通される円弧状の挿通孔が穿設されており、第１ブラシ盤と第２ブラシ盤のブラシ体を有しない面どうしが当接させられ、第１ブラシ盤と第２ブラシ盤の夫々の中心に設けられた中心孔に枢軸が挿通されており該枢軸により第１ブラシ盤と第２ブラシ盤が回動自在に枢設されていて、第１蓋体部及び第２蓋体部の円盤状の部分に夫々指先を挿通できる指孔が穿設されていることを特徴とする指先洗浄器に関するものである。
【背景技術】
【０００２】
従来、指先を挿入して洗浄することのできる器具は各種存在した。このような指先洗浄器は、主として工場などの現場作業において、指先が機械油その他により汚染された場合に、速やかに指先を洗浄し、とくに指先と爪の間に入り込んだ頑固な汚れまでも落とすことのできるように製作されたものであって、合成樹脂製の基盤に剛性の強い毛束を多数植設し、この毛束の毛先を指先に当ててこすることにより指先を洗浄しようとするものである。
【０００３】
下記特許文献１に記載の「指先洗浄器」は、内壁に毛束を植設した円筒形状の「帯状ブラシ」と上面にやはり毛束を植設した略円盤状の「台座ブラシ」を組み合わせたもので、毛束が突設された空間に指先を入れて洗浄可能であり、全体をもう一方の手で把持して扱うものである。すなわち、外向きに毛束が植設された束子を内側に折り返したようなものであって、使用状態も束子に良く似ている。
【０００４】
次に、下記特許文献２に記載の「指先洗浄器」は、構成は特許文献１に記載の「指先洗浄器」と似ているが、底板に駆動装置を付加できるようにしたもので、この「指先洗浄器」に指先を入れると、往復回転を行う駆動装置の作用によって指先を動かさなくても洗浄が行われるというものである。
【０００５】
次に、下記特許文献３に記載の「指先洗浄器」は、特許文献２に記載の「指先洗浄器」の構成に、さらに遊星歯車により高速回転する高速回転ブラシを付加したもので、これにより４本の指の爪の部分の洗浄に加えて、親指の爪の部分の洗浄、爪の表面や側面の汚れの除去が行えるとしている。
【特許文献１】特開平１０‐１３７１５４号公報
【特許文献２】実開平５‐６５２９２号公報
【特許文献３】実開平７‐１６６９３号公報
【発明の開示】
【発明が解決しようとする課題】
【０００６】
特許文献１〜特許文献３に記載の「指先洗浄器」は、夫々に一定の効果は有するものであるが、共通の問題点として、片方の手指しか洗浄できず、一方の手指の洗浄が終われば持ち替えて、もう一方の手指の洗浄を行わなければならないという解決すべき課題があった。
【０００７】
また、特許文献１に記載の「指先洗浄器」においては、「指先洗浄器」の「ブラシ」自体は動かないので、「指先洗浄器」をもう一方の手で動かしてやるか、あるいは洗浄したい方の手指を「指先洗浄器」の内部で動かしてやる必要があった。さらに、特許文献２、３の「指先洗浄器」においては、駆動装置が付いているので、指先を入れるだけで洗浄が可能となるが、駆動装置を稼動するための電源が必要であり、また全体が大掛かりなものとなるという問題点が指摘される。
【０００８】
上記より、本発明の課題を、以下のように設定した。
＜課題１＞
両手指を同時に洗浄することのできる指先洗浄器を開発する。
＜課題２＞
駆動装置を要せず、しかもブラシが回転運動を行うことにより指先を洗浄することのできる指先洗浄器を開発する。
【課題を解決するための手段】
【０００９】
本発明は、上記課題を解決するためになされたものであって、以下に述べる解決手段を提供するものである。
＜解決手段＞
片面にリング状にブラシが植設されたブラシ体を有する円盤状の第１ブラシ盤のブラシ体を有しない面側に２以上の連結軸が第１ブラシ盤の中心を通る線分上に該中心を挟んで対称的に且つ第１ブラシ盤に対して垂直方向に突設され該連結軸の他端部に第１ブラシ盤と略同径の円盤状で側壁を有する第１蓋体部が固着され、片面にリング状にブラシが植設されたブラシ体を有する円盤状の第２ブラシ盤のブラシ体を有しない面側に２以上の連結軸が第２ブラシ盤の中心を通る線分上に該中心を挟んで対称的に且つ第２ブラシ盤に対して垂直方向に突設され該連結軸の他端部に第２ブラシ盤と略同径の円盤状で側壁を有する第２蓋体部が固着され、第２ブラシ盤に第１ブラシ盤の２以上の連結軸の夫々が挿通される円弧状の挿通孔が穿設されており、第１ブラシ盤に第２ブラシ盤の２以上の連結軸の夫々が挿通される円弧状の挿通孔が穿設されており、第１ブラシ盤と第２ブラシ盤のブラシ体を有しない面どうしが当接させられ、第１ブラシ盤と第２ブラシ盤の夫々の中心に設けられた中心孔に枢軸が挿通されており該枢軸により第１ブラシ盤と第２ブラシ盤が回動自在に枢設されていて、第１蓋体部及び第２蓋体部の円盤状の部分に夫々指先を挿通できる指孔が穿設されていることを特徴とする指先洗浄器。
【発明の効果】
【００１０】
本発明の解決手段に記載の指先洗浄器は、第１蓋体部に穿設された指孔に片方の手の各指先を挿入し、第２蓋体部穿設された指孔にもう一方の手の各指先を挿入して第１蓋体部と第２蓋体部を相対的に回動させ、停止地点にて第１蓋体部と第２蓋体部を逆方向に相対的に回動させることにより、第１蓋体部に挿入した方の各指先が第２ブラシ盤のブラシ体の回転により洗浄され、第２蓋体部に挿入した方の各指先が第１ブラシ盤のブラシ体の回転により洗浄される。すなわち、両方の手の指先を同時に洗浄することが可能である。
【００１１】
さらに、本発明の解決手段に記載の指先洗浄器は、駆動装置を用いないので電源が不要であり、きわめてコンパクトに形成可能である。また、片方の手で第１蓋体部に与えた回動力により第１ブラシ盤を回動させ、もう一方の手で第２蓋体部に与えた回動力により第２ブラシ盤を回動させる結果、相対的に回動する第１ブラシ盤及び第２ブラシ盤により両方の手の指先が同時に洗浄されるので、洗浄方法が簡単でしかも効果的である。
さらに、回動速度の変化や発停も、使用者が指先にかける力次第で自由に制御することが可能となる。
【発明を実施するための最良の形態】
【００１２】
本発明を実施するための最良の形態を、以下に図面を参照しながら詳細に説明する。
【実施例１】
【００１３】
実施例１の指先洗浄器Ｆは、図１、図２、図８〜図１０に見るように、第１蓋体部１、第２蓋体部２、第１ブラシ板３、第２ブラシ板４、及び第１ブラシ板３と第２ブラシ板４を枢設する枢軸５、第１蓋体部１と第１ブラシ板３を連結する連結軸６、７、第２蓋体部２と第２ブラシ板４を連結する連結軸８、９から構成されている。以下、各部品の構成の説明のあと、全体の組付けの説明を行い、最後に作用の説明を行うこととする。
【００１４】
第１蓋体部１は、図３ａ〜図３ｃに示すように円盤状の基板１１の周囲の背面方向に円筒形状の側壁１２が基板１１と一体に周設されたもので、基板１１には５個の指孔１３〜１７が穿設されている。指孔１３〜１７のうち、指孔１３は親指を挿入するためのもので他の指孔１４〜１７より大きく円弧状に穿設され、他の指孔１４〜１７は円形状であり、指孔１３〜１７はいずれも基板１１の周辺部に配設されている。なお、指孔１３〜１７には側壁１２の長さＤ１の４分の１程度の長さＤ２のフランジ１３ａ〜１７ａが背面方向に突設されており、フランジ１３ａ〜１７ａは基板１１と一体として形成されている。また、フランジ１３ａ〜１７ａが側壁１２と接合する部分においては、側壁１２がフランジ１３ａ〜１７ａの代替となっている。
【００１５】
基板１１の背面の中央部分には、長さＤ１の円筒形状の中央隔壁１８が基板１１と一体に設けられていて、第１蓋体部１の中央部分を周辺部分より区画している。中央隔壁１８の内側には、中央隔壁１８に一部が合一する形で長さＤ２で平面形状が小判状の固定部１８ａ、１８ｂが基板１１及び中央隔壁１８と一体に設けられており、固定部１８ａの背面には小判状の固定孔ｈ１が、固定部１８ｂの背面には小判状の固定孔ｈ２が、夫々穿設されている。
【００１６】
固定部１８ａ、１８ｂは後述の連結軸６、７を固定するための構成で、図３ａに示すような形で配設されている。すなわち、基板１１の中心ｃ１と指孔１３の中心ｃ１３を結ぶ線を中心線Ｘ１とすれば、基板１１の中心ｃ１と固定部１８ａの固定孔ｈ１の中心ｃｈ１及び固定部１８ｂの固定孔ｈ２の中心ｃｈ２を結ぶ線Ｘ１１が中心線Ｘ１となす角度α１が中心線Ｘ１から正面視で反時計回りに４５°になるように配設されている。
【００１７】
第２蓋体部２は、図４ａ〜図４ｃに示すように円盤状の基板２１の周辺に正面方向に円筒形状の側壁２２が基板２１と一体に周設されたもので、基板２１には５個の指孔２３〜２７が穿設されている。指孔２３〜２７のうち、指孔２３は親指を挿入するためのもので他の指孔２４〜２７より大きく円弧状に穿設され、他の指孔２４〜２７は円形状であり、指孔２３〜２７はいずれも基板２１の周辺部に配設されている。なお、指孔２３〜２７には側壁２２の長さＤ３の４分の１程度の長さＤ４のフランジ２３ａ〜２７ａが正面方向に設けられており、フランジ２３ａ〜２７ａは基板２１と一体として形成されている。また、フランジ２３ａ〜２７ａが側壁２２と接合する部分においては、側壁２２がフランジ２３ａ〜２７ａの代替となっている。また、長さＤ３は第１蓋体部１における長さＤ１（図３ｂ参照）と同一に、長さＤ４は第１蓋体部１における長さＤ２（図３ｂ参照）と同一に、夫々構成されている。
【００１８】
基板２１の正面の中央部分には、長さＤ３の円筒形状の中央隔壁２８が基板２１と一体に設けられていて、第２蓋体部２の中央部分を周辺部分より区画している。中央隔壁２８の内側には、中央隔壁２８に一部が合一する形で長さＤ４で平面形状が小判状の固定部２８ａ、２８ｂが基板２１及び中央隔壁２８と一体に設けられており、固定部２８ａの正面には小判状の固定孔ｈ３が、固定部２８ｂの正面には小判状の固定孔ｈ４が、夫々穿設されている。
【００１９】
固定部２８ａ、２８ｂは後述の連結軸８、９を固定するための構成で、図４ａに示すような形で配設されている。すなわち、基板２１の中心ｃ２と指孔２３の中心ｃ２３を結ぶ線を中心線Ｘ２とすれば、基板２１の中心ｃ２と固定部２８ａの固定孔ｈ３の中心ｃｈ３及び固定部２８ｂの固定孔ｈ４の中心ｃｈ４を結ぶ線Ｘ２１が中心線Ｘ２となす角度α２が正面視で中心線Ｘ２から時計回りに４５°になるように配設されている。
【００２０】
次に、第１ブラシ盤３は、図５ａ〜図５ｃに示すように、第１蓋体部１及び第２蓋体部２と同径の円盤状の基板３１の背面に、基板３１と一体にリング状の植毛基部３２が突設され、植毛基部３２には図５ｂ、図５ｃに示すように複数の毛を束ねた長さＤ６の毛束ｂが多数密植されており、全体としてリング状のブラシ体Ｂ１を構成している。毛束ｂを構成する毛は剛性の強い化学繊維を用いているが、同様の洗浄効果を有するものであればこれ以外の素材で代替するのは自由である。また、植毛基部３２の周辺は植毛基部３２より薄いリング状の周辺部３５となっている。
【００２１】
第１ブラシ盤３の背面中央部には、図５ｂ、図５ｃに示すように、円形状の中央凹部３３が設けられている。この中央凹部３３の直径は第１蓋体部１の中央隔壁１８、第２蓋体部２の中央隔壁２８と略同径で、中心には後述の枢軸５が挿通される中心孔３４が穿設され、周辺部には連結軸６が固定される小判状の固定孔ｈ５、連結軸７が固定される小判状の固定孔ｈ６が夫々穿設され、連結軸８が挿通される弧状の挿通孔３８、連結軸９が挿通される弧状の挿通孔３９が夫々穿設されている。固定孔ｈ５の背面には固定部３６が、固定孔ｈ６の背面には固定部３７が夫々突設されている。固定部３６、３７は夫々背面が閉じられていて、連結軸６、７はその背面が固定部３６、３７の背面にて限定されるように構成されている。
【００２２】
固定部３６、３７は図５ａに示すような形で配設されている。すなわち、基板３１の中心ｃ３と連結軸８が挿通孔３８の左端に位置したとき（図１５ｃ参照）の連結軸８の中心ｃ８、及び連結軸９が挿通孔３９の右端に位置したとき（図１５ｃ参照）の連結軸９の中心ｃ９を結ぶ線を中心線Ｘ３とすれば、基板３１の中心ｃ３と固定部３６の固定孔ｈ５の中心ｃｈ５及び固定部３７の固定孔ｈ６の中心ｃｈ６を結ぶ線Ｘ３１（図５ａ参照）のなす角度β１が正面視にて中心線Ｘ３から反時計回りに４５°になるように配設されている。
【００２３】
さらに、挿通孔３６、３７は図５ａに示すような形で配設されている。すなわち、基板３１の中心ｃ３と挿通孔３８の中心ｃ３８、挿通孔３９の中心ｃ３９を結ぶ線を線Ｘ３２とすれば、線Ｘ３２のなす角度β２が正面視にて中心線Ｘ３から時計回りに４５°になるように配設されている。
【００２４】
次に、第２ブラシ盤４は、図６ａ〜図６ｃに示すように、第１蓋体部１及び第２蓋体部２と同径の円盤状の基板４１の背面に、基板４１と一体にリング状の植毛基部４２が突設され、植毛基部４２には図６ａ、図６ｂに示すように複数の毛を束ねた長さＤ６の毛束ｂが多数密植されており、全体としてリング状のブラシ体Ｂ２を構成している。毛束ｂを構成する毛は第１ブラシ盤３同様剛性の強い化学繊維を用いているが、同様の洗浄効果を有するものであればこれ以外の素材で代替するのは自由である。また、植毛基部４２の周辺は植毛基部４２より薄いリング状の周辺部４５となっている。
【００２５】
第２ブラシ盤４の正面中央部には、図６ａ、図６ｂに示すように、円形状の中央凹部４３が設けられている。この中央凹部４３の直径は第１ブラシ盤３の中央凹部３３の直径と同径で、中心には後述の枢軸５が挿通される中心孔４４が穿設され、周辺部には連結軸８が固定される小判状の固定孔ｈ７、連結軸９が固定される小判状の固定孔ｈ８が夫々穿設され、連結軸６が挿通される弧状の挿通孔４６、連結軸７が挿通される弧状の挿通孔４７が夫々穿設されている。固定孔ｈ７の正面には固定部４８が、固定孔ｈ８の正面には固定部４９が夫々突設されている。固定部４８、４９は夫々正面が閉じられていて、連結軸８、９はその正面が固定部４８、４９の正面にて限定されるように構成されている。
【００２６】
固定部４８、４９は図６ａに示すような形で配設されている。すなわち、基板４１の中心ｃ４と連結軸６が挿通孔４６の右端（図１５ｂにては上端）に位置したときの連結軸６の中心ｃ６（図１５ｂ参照）、及び連結軸７が挿通孔４７の左端（図１５ｂにては下端）に位置したときの連結軸７の中心ｃ７を結ぶ線を中心線Ｘ４とし、基板４１の中心ｃ４と固定孔ｈ７の中心ｃｈ７、固定孔ｈ８の中心ｃｈ８を結ぶ線を線Ｘ４１ちすれば、線Ｘ４１が中心線Ｘ４となす角度γ１が正面視にて中心線Ｘ４から時計回りに４５°になるように配設されている。
【００２７】
さらに、挿通孔４６、４７は図６ａに示すような形で配設されている。すなわち、基板４１の中心ｃ４と挿通孔４６の中心ｃ４６、挿通孔４７の中心ｃ４７を結ぶ線を線Ｘ４２とすれば、線Ｘ４２のなす角度γ２が正面視にて中心線Ｘ４から反時計回りに４５°になるように配設されている。
【００２８】
次に、図１、図２、図８、図９に示す枢軸５は、第１ブラシ盤３と第２ブラシ盤４を枢設するための部材であって、略円錐形状の先端部５１、円筒形状の係止部５２、円筒形状の挿通部５３、円筒形状の尾部５４が一体として構成され、これに係止部５２に嵌着されるリング５５が別体として付属されている。係止部５２が最も小径であり、先端部５１の後部と挿通部５３は同径で係止部５２よりはやや大径であり、挿通部５３は図８、図９に明らかなように、第１ブラシ盤３の中心孔３４、第２ブラシ盤４の中心孔４４に挿嵌され回動が可能な直径に構成されている。そして、尾部５４は挿通部５３よりさらに大径に構成されている。また、リング５５は内径が係止部５２と略同一の環形で、断裂部５５ａ（図１、図２参照）を有している。
【００２９】
次に、連結軸６〜９は図１、図２に見るようにいずれも断面が小判状の棒体で、その長さＤ５は図３ｂ、図４ｂに見るように第１蓋体部１の側壁１２の長さＤ１、あるいは第２蓋体部２の側壁２２の長さＤ３の約１．５倍となっている。なお、長さＤ１＝長さＤ３としている。
【００３０】
連結軸６、７は第１蓋体部１と第１ブラシ盤３を連結固定するための構成である。連結軸６の正面端部が第１蓋体部１の固定孔ｈ１に嵌入され固定部１８ａ内に固定され、連結軸６の背面端部が第１ブラシ盤３の固定孔ｈ５に嵌入され固定部３６内に固定され、連結軸７の正面端部が第１蓋体部１の固定孔ｈ２に嵌入され固定部１８ｂ内に固定され、連結軸７の背面端部が第１ブラシ盤３の固定孔ｈ６に嵌入され固定部３７内に固定されることにより、第１蓋体部１と第１ブラシ盤３が連結固定される（図１、図２、図８、図９参照）。
【００３１】
連結軸８、９は第２蓋体部２と第２ブラシ盤４を連結固定するための構成である。連結軸８の背面端部が第２蓋体部２の固定孔ｈ３に嵌入され固定部２８ａ内に固定され、連結軸８の正面端部が第２ブラシ盤４の固定孔ｈ７に嵌入され固定部４８内に固定され、連結軸９の背面端部が第２蓋体部２の固定孔ｈ４に嵌入され固定部２８ｂ内に固定され、連結軸９の正面端部が第２ブラシ盤４の固定孔ｈ８に嵌入され固定部４９内に固定されることにより、第２蓋体部２と第２ブラシ盤４が連結固定される（図１、図２、図８、図９参照）。
【００３２】
次に、実施例１の指先洗浄器Ｆの全体の組付け構成を説明する（図１、図２、図８〜図１２参照）。まず最初に、第１ブラシ盤３の正面と第２ブラシ盤４の背面を当接させて、枢軸５の先端部５１を正面に向けて中心孔３４、４４に第１ブラシ盤３の背面側から枢軸５を挿通する。すると、枢軸５の挿通部５３が中心孔３４、４４に挿通された状態で尾部５４の正面が第１ブラシ盤３の背面に当接して停止される。この状態で、枢軸５の係止部５２、先端部５１が第２ブラシ盤４の正面に突出された状態になるので、係止部５２にリング５５を嵌着する。リング５５には断裂部５５ａが設けてあるので、先端部５１の略円錐形状の先端からリング５５を後方に押し込むことにより断裂部５５ａが拡大されて先端部５１の後部を通過し、より小径の係止部５２に嵌着されたときに断裂部５５ａは縮小されてリング５５は係止部５２に嵌着された状態にて安定する。そして、これにより枢軸５全体も安定し、第１ブラシ盤３と第２ブラシ盤４は枢軸５により相互に回動自在に枢設されたかたちとなる。
【００３３】
次に、第１蓋体部１の固定孔ｈ１に連結軸６の正面端部を嵌入し固定部１８ａに嵌着固定させ、固定孔ｈ２に連結軸７の正面端部を嵌入し固定部１８ｂに嵌着固定させる。この際に、固定方法は嵌着以外にも例えば接着や螺着とすることもできるし、複数の固定方法を組み合わせても良い。要するに固定部１８ａに連結軸６の正面端部が、固定部１８ｂに連結軸７の正面端部が、夫々完全に固定できればどのような方法を用いても良い。但し、嵌着という方法によるなら、分解の際も比較的簡単に行えるので、分解掃除がしやすいという利点は生じる。
【００３４】
次に連結軸６の背面端部を第２ブラシ盤４の挿通孔４６に挿通し、第１ブラシ盤３の固定部３６の固定孔ｈ５に嵌入させ、連結軸６の背面端部を第１ブラシ盤３の固定部３６に嵌着固定させる。同時に、連結軸７の背面端部を第２ブラシ盤４の挿通孔４７に挿通し、第１ブラシ盤３の固定部３７の固定孔ｈ６に嵌入させ、連結軸７の背面端部を第１ブラシ盤３の固定部３７に嵌着固定させる。これにより、第１蓋体部１と第１ブラシ盤３は第２ブラシ盤４を介して連結固定される。この際にも、嵌着以外の固定方法を用いることができるのはいうまでもないことである。
【００３５】
さらに、第２蓋体部２の固定孔ｈ３に連結軸８の背面端部を嵌入し固定部２８ａに嵌着固定させ、固定孔ｈ４に連結軸９の背面端部を嵌入し固定部２８ｂに嵌着固定させる。次に、連結軸８の正面端部を第１ブラシ盤３の挿通孔３８に挿通し、第２ブラシ盤４の固定部４８の固定孔ｈ７に嵌入させ、連結軸８の正面端部を第２ブラシ盤４の固定部４８に嵌着固定させる。同時に、連結軸９の正面端部を第１ブラシ盤３の挿通孔３９に挿通し、第２ブラシ盤４の固定部４９の固定孔ｈ８に挿通させ、連結軸９の背面端部を第２ブラシ盤４の固定部４９に嵌着固定させる。これにより、第２蓋体部２と第２ブラシ盤４は第１ブラシ盤３を介して連結固定される。なおこの際にも、嵌着以外の固定方法を用いることができるのはいうまでもないことである。
【００３６】
以上にて、実施例１の指先洗浄器Ｆの組付けが完了する。組付けが完了した状態の正面図を図７に、右側面側から見た縦断面図を図８に、左側面側から見た縦断面図を図９に、正面右側から見た外観斜視図を図１０ａに、背面右側から見た外観斜視図を図１０ａに、夫々示す。
【００３７】
次に、実施例１の指先洗浄器Ｆの作用について、図面を参照しながら詳細に説明する。実施例１の指先洗浄器Ｆは正面側を左手用に、背面側を右手用に用いてもよいしその逆でもよいが、ここでは、正面側を左手用に、背面側を右手用に用いる場合について説明する。
【００３８】
使用者（図示せず）は、実施例１の指先洗浄器Ｆの正面側を左手に、背面側を右手に把持し、まず左手の親指を第１蓋体部１の指孔１３に挿入し、人差し指を指孔１７に、中指を指穴１６に、薬指を指孔１５に、小指を指孔１４に、夫々挿入する。次に右手の親指を第２蓋体部２の指孔２３に挿入し、人差し指を指孔２４に、中指を指穴２５に、薬指を指孔２６に、小指を指孔２７に、夫々挿入する。なお、使用者が左手の各指を先に挿入するか、右手の各指を先に挿入するか、それとも左右両方の手の各指を同時に挿入するかについては、使用者の自由である。
【００３９】
第１蓋体部１の指孔１３〜１７に挿入された左手の各指は第２ブラシ盤４のブラシ体Ｂ２を構成する複数の毛束ｂ、ｂ、……中に一定の深さまで挿入され、第２蓋体部１の指孔２３〜２７に挿入された右手の各指は第１ブラシ盤３のブラシ体Ｂ１を構成する複数の毛束ｂ、ｂ、……中に一定の深さまで挿入される。なお、この際、指孔１３〜１７のフランジ１３ａ〜１７ａ、指孔２３〜２７のフランジ２３ａ〜２７ａの作用により、各指が指孔１３〜１７、指孔２３〜２７の縁部に当接しても各指が痛みを感じるということはない。もしフランジ１３ａ〜１７ａ、２３ａ〜２７ａを欠いた場合、各指が指孔１３〜１７、指孔２３〜２７の縁部に当接されると場合によっては痛みを感じ、さらに強く押圧された場合には損傷を蒙る可能性もあるが、フランジ１３ａ〜１７ａ、２３ａ〜２７ａの作用により、このような危険性が未然に防止されるものである。なお、基板１１とフランジ１３ａ〜１７ａの接合部分及び基板２１とフランジ２３ａ〜２７ａの接合部分に丸みをつけておくことにより、痛みや損傷の防止効果はさらに増大される。
【００４０】
使用者は、左手の各指を第１蓋体部１の指孔１３〜１７に、右手の各指を第２蓋体部２の指孔２３〜２７に夫々挿入した状態にて左手先と右手先を相対的に回動させる。つまり、左手先を指先洗浄器Ｆの正面視で反時計回りに回動させると右手先は相対的に時計回りに回動することになり、左手先を指先洗浄器Ｆの正面視で時計回りに回動させると右手先は相対的に反時計回りに回動することになる。また、右手先を指先洗浄器Ｆの正面視で反時計回りに回動させると左手先は相対的に時計回りに回動することになり、右手先を指先洗浄器Ｆの正面視で時計回りに回動させると左手先は相対的に反時計回りに回動することになる。
【００４１】
今、説明を簡略化するために、左手先を静止させた状態で右手先を指先洗浄器Ｆの正面視で反時計回りに回動させる場合を説明すると、図１３〜図１５の模式図に示すとおりである。まず、図１３ａ〜図１３ｄは連結軸６が第２ブラシ盤４の挿通孔４６の左端に、連結軸７が第２ブラシ盤４の挿通孔４７の右端に位置し、連結軸８が第１ブラシ盤３の挿通孔３８の下端に、連結軸９が第１ブラシ盤３の挿通孔３９の上端に位置する状態を示す。この状態にて、図１３ａは第１蓋体部１の状態を、図１３ｂは第２ブラシ盤４の状態を、図１３ｃは第１ブラシ盤３の状態を、図１３ｄは第２蓋体部２の状態を、夫々模式的に示すものである。なお、図１３〜図１５の模式図においては、ブラシ体Ｂ１、Ｂ２を省略して示している。
【００４２】
この状態にて第１蓋体部１内に挿入している左手先を静止状態に置き、第２蓋体部２内に挿入している右手先を正面視で反時計回りに回動させると、第１蓋体部１と第１蓋体部１に連結軸６、７により連結固定されている第１ブラシ盤３は静止状態であるが、第２蓋体部２と第２蓋体部２に連結軸８、９により連結固定されている第２ブラシ盤４は正面視で反時計回り（方向Ｘ）に回動する。したがって、連結軸６、７は静止状態であるが、連結軸８、９は正面視で反時計回り（方向Ｘ）に回動する。なお、図１３ａ〜図１３ｄの状態においては、連結軸６が挿通孔４６の左端に、連結軸７が挿通孔４７の右端に、連結軸８が挿通孔３８の下端に、連結軸９が挿通孔３９の上端に夫々位置しているので、この状態で右手先を正面視で時計回りに、あるいは左手先を正面視で反時計回りに回動させることは不可能である。
【００４３】
図１４ａ〜図１４ｄは、図１３ａ〜図１３ｄの状態から、第２蓋体部２が正面視で反時計回り（方向Ｘ）に４５°回動した状態を示す。したがって、第２ブラシ盤４も正面視で反時計回り（方向Ｘ）に４５°回動した状態となる。この状態で、連結軸６の中心ｃ６は挿通孔４６の中心ｃ４６に一致し、連結軸７の中心ｃ７は挿通孔４７の中心ｃ４７に一致し、連結軸８の中心ｃ８は挿通孔３８の中心ｃ３８に一致し、連結軸９の中心ｃ９は挿通孔３９の中心ｃ３９に一致する。なお、この状態にて、図１４ａは第１蓋体部１の状態を、図１４ｂは第２ブラシ盤４の状態を、図１４ｃは第１ブラシ盤３の状態を、図１４ｄは第２蓋体部２の状態を、夫々示すものである。
【００４４】
図１４ａ〜図１４ｄの状態からさらに第２蓋体部２を正面視で反時計回り（方向Ｘ）に４５°回動させると、図１５に示す状態となって第２蓋体部２の回動は停止させられる。すなわち、図１５に示す状態においては、連結軸６が挿通孔４６の上端に、連結軸７が挿通孔４７の下端に、連結軸８が挿通孔３８の上端に、連結軸９が挿通孔３９の下端に夫々位置しており、これ以上第２蓋体部２を正面視で反時計回り（方向Ｘ）に回動させることは不可能であることが明白である。なお、この状態にて、図１５ａは第１蓋体部１の状態を、図１５ｂは第２ブラシ盤４の状態を、図１５ｃは第１ブラシ盤３の状態を、図１５ｄは第２蓋体部２の状態を、夫々示すものである。
【００４５】
したがって、次のプロセスは、第２蓋体部２内に挿入している右手先を正面視で時計回り（Ｙ方向）に回動させることになる。すなわち、第２蓋体部２及び第２ブラシ盤４及び連結軸８，９を正面視で時計回り（Ｙ方向）に回動させることになり、状態は図１４ａ〜図１４ｄに示す状態になる。そしてさらに第２蓋体部２及び第２ブラシ盤４及び連結軸８，９を正面視で時計回り（Ｙ方向）に４５°回動させると状態は図１３ａ〜図１３ｄに示す状態に戻る。これにて１サイクルが完了する。
【００４６】
この１サイクルの間に、第１蓋体部１に対して第２ブラシ盤４はＸ方向に９０°回動し、次にＹ方向に９０°回動して元の状態になる。これに伴い、第１蓋体部１内に挿入されている左手先、すなわち各指の指先（図示せず）は第２ブラシ盤４のブラシ体Ｂ２内に挿入されたままでブラシ体Ｂ２がＸ方向に９０°回動し、次にＹ方向に９０°回動するので、各指の指先（図示せず）はブラシ体Ｂ２を構成する複数の毛束ｂ、ｂ、……に擦られ、洗浄される。
【００４７】
同時に、第１ブラシ盤３に対して第２蓋体部２がＸ方向に９０°回動し、次にＹ方向に９０°回動して元の状態になるので、第２蓋体部２内に挿入されている右手先、すなわち各指の指先（図示せず）は第１ブラシ盤３のブラシ体Ｂ１内に挿入されたままでブラシ体Ｂ１に対してＸ方向に９０°回動し、次にＹ方向に９０°回動することとなり、各指の指先（図示せず）はブラシ体Ｂ１を構成する複数の毛束ｂ、ｂ、……に擦られ、洗浄される。
【００４８】
上記のサイクルを適宜繰り返すことにより、左手の指先も右手の指先も同時に洗浄されるので、汚れ具合に応じて洗浄動作を繰り返し、汚れが除去されたと判断されれば洗浄を停止すればよい。なお、上記には、第１蓋体部１に挿入した左手を静止させて第２蓋体部２に挿入させた右手を回動させる場合を示したが、第２蓋体部２に挿入させた右手を静止させて第１蓋体部１に挿入した左手を回動させても、また第１蓋体部１に挿入した左手と第２蓋体部２に挿入させた右手を同時に逆方向に回動させても、全く同様に両方の手の指先の洗浄を行うことができるものであることはいうまでもない。
【００４９】
なお、図１６には、ブラシ体の別の構成を示す。図１６ａは別の構成のブラシ体Ｂｖ１を有する第１ブラシ盤３ｖの背面図であり、図１６ｂは図１６ａの第１ブラシ盤３ｖのブラシ体Ｂｖ１の構成を模式図として表現している。また、図１６ｃは図１６ａのＧ−Ｇ線端面図、図１６ｄは図１６ａのＨ−Ｈ線端面図である。
【００５０】
図１６ａ〜図１６ｄにて、ブラシ体Ｂｖ１は長めのブラシ束ｂｌ（長さＤ８）で構成された領域Ｌと短めのブラシ束ｂｓ（長さＤ７）で構成された領域Ｓが交互に組み合わされて構成されている。すなわち、リング状のブラシ体Ｂｖ１を６区画の略長方形状の領域Ｓ、Ｓ、……と同じく６区画の略扇形状の領域Ｌ、Ｌ、……から構成している。
【００５１】
また、図１６ｅは別の構成のブラシ体Ｂｖ２を有する第２ブラシ盤４ｖの正面図であり、図１６ｆは図１６ｅの第１ブラシ盤４ｖのブラシ体Ｂｖ２の構成を模式図として表現している。また、図１６ｇは図１６ｅのＩ−Ｉ線端面図、図１６ｈは図１６ｅのＪ−Ｊ線端面図である。
【００５２】
図１６ｅ〜図１６ｈにて、ブラシ体Ｂｖ２は長めのブラシ束ｂｌ（長さＤ８）で構成された領域Ｌと短めのブラシ束ｂｓ（長さＤ７）で構成された領域Ｓが交互に組み合わされて構成されている。すなわち、リング状のブラシ体Ｂｖ２を、ブラシ体Ｂｖ１と全く同様に、６区画の略長方形状の領域Ｓ、Ｓ、……と同じく６区画の略扇形状の領域Ｌ、Ｌ、……から構成している。
【００５３】
ブラシ体Ｂｖ１、ブラシ体Ｂｖ２を以上のように構成することにより得られる効果は次のとおりである。すなわち、ブラシ体Ｂｖ１、ブラシ体Ｂｖ２に短めのブラシ束ｂｓ（長さＤ７）で構成された領域Ｓがあることにより指先の挿入が容易となり、かつブラシ体Ｂｖ１、ブラシ体Ｂｖ２を回動させることにより指先は長めのブラシ束ｂｌ（長さＤ８）で構成された領域Ｌに入ってここで指先の回動力は確実にブラシ体Ｂｖ１に伝達される。
【００５４】
また、最初に指先が長めのブラシ束ｂｌ（長さＤ８）で構成された領域Ｌに入った場合には、そこでやや滑るかもしれないが、ブラシ体Ｂｖ１、ブラシ体Ｂｖ２を回動させるとすぐに短めのブラシ束ｂｓ（長さＤ７）で構成された領域Ｓに入って指先が深く挿入され、その状態で指先は長めのブラシ束ｂｌ（長さＤ８）で構成された領域Ｌに入る。
【００５５】
このように、ブラシ体Ｂｖ１、Ｂｖ２にブラシ束に長短の差を施した領域Ｌと領域Ｓを設けることにより、ブラシ束が均一の長さであった場合に比べて指先を深い位置にまで挿入することが容易にできるようになり、そのことは指先がブラシ体Ｂｖ１、Ｂｖ２を確実にホールドできることを意味する。そしてさらに、第１ブラシ盤３ｖ、第２ブラシ盤４ｖの確実な回動力を発生させることができることを意味するものである。なお、この点についてはブラシ体の構成を様々に変化させて実験を行ったが、この実験よってその効果は明らかなものとなった。
【００５６】
次に、図１７ａには第１蓋体部１とは別の構成の第１蓋体部１ｖの正面図を、図１７ｂには第２蓋体部２とは別の構成の第２蓋体部２ｖの正面図を夫々示す。第１蓋体部１ｖは、指孔１３ｖが第１蓋体部１の指孔１３の半分程度の面積に構成されている以外は第１蓋体部１ｖと同一の構成である。また、第２蓋体部２ｖは、指孔２３ｖが第２蓋体部２の指孔２３の半分程度の面積に構成されている以外は第２蓋体部２ｖと同一の構成である。
【００５７】
このように構成する理由は以下のとおりである。すなわち、指孔１３、１３ｖ、２３、２３ｖはいずれも親指（図示せず）を挿入する目的で穿設されているものであるが、指孔１３ｖ、２３ｖのように小さめのものとすることにより、指孔１３ｖ、２３ｖ内にて挿入された親指が滑りにくくなるという効果が得られる。すなわち、指孔が大きい場合には、使用者によっては挿入された親指が弧状の形状に沿って滑ってなかなか深く挿入されず、したがって確実な回動力の発生が阻害されるという現象も見られたが、指孔を指孔１３ｖ、２３ｖのように小さめのものとすることにより挿入された親指は滑り始めてもすぐにフランジ１３ｖａ、２３ｖａに衝突し、この時点にて滑りが停止されるので、いかなる使用者にても親指を深く挿入することができる。そして、これにより確実な回動力の発生が保証されるものである。
【産業上の利用可能性】
【００５８】
本発明の指先洗浄器は、上述のように電源が不要で極めてコンパクトでありながら両方の手の指先の洗浄が同時に行える。また、片方あるいは両方の手の回動運動が両方の手の指先の洗浄を行うように構成されているので、電源と駆動装置を有する指先洗浄器と同様の洗浄能力を有し、しかも回動速度や回動の開始、停止を使用者が自分の好みによって細かく調整することができるので極めて使い勝手が良い。またさらに、複雑な機構を用いていないので故障がなく、メンテナンスも楽で、製造単価もきわめて安価である。したがって、本発明の指先洗浄器は、工場や事業所、さらには一般家庭において、指先の洗浄に、洵に重宝なものとなり得るものである。
【図面の簡単な説明】
【００５９】
【図１】本発明の実施例１の指先洗浄器の組付け構成を示す一部を切欠した正面右上側から見た分解立体図である。
【図２】本発明の実施例１の指先洗浄器の組付け構成を示す一部を切欠した背面右下側から見た分解立体図である。
【図３】（ａ）本発明の実施例１の指先洗浄器の第１蓋体部の正面図である。（ｂ）図３ａのＡ−Ａ線断面図である。（ｃ）本発明の実施例１の指先洗浄器の第１蓋体部の背面図である。
【図４】（ａ）本発明の実施例１の指先洗浄器の第２蓋体部の正面図である。（ｂ）図４ａのＢ−Ｂ線断面図である。（ｃ）本発明の実施例１の指先洗浄器の第２蓋体部の背面図である。
【図５】（ａ）本発明の実施例１の指先洗浄器の第１ブラシ盤の正面図である。（ｂ）図５ａのＣ−Ｃ線断面図である。（ｃ）本発明の実施例１の指先洗浄器の第１ブラシ盤の背面図である。
【図６】（ａ）本発明の実施例１の指先洗浄器の第２ブラシ盤の正面図である。（ｂ）図５ａのＤ−Ｄ線断面図である。（ｃ）本発明の実施例１の指先洗浄器の第２ブラシ盤の背面図である。
【図７】本発明の実施例１の指先洗浄器の正面図である。
【図８】図７のＥ−Ｅ線断面図である。
【図９】図７のＦ−Ｆ線断面図である。
【図１０】（ａ）本発明の実施例１の指先洗浄器の正面右側から見た外観斜視図である。    （ｂ）本発明の実施例１の指先洗浄器の背面右側から見た外観斜視図である。
【図１１】本発明の実施例１の指先洗浄器の組付け構成を示す右側面側から見た参考縦断面図である。
【図１２】本発明の実施例１の指先洗浄器の組付け構成を示す左側面側から見た参考縦断面図である。
【図１３】（ａ）本発明の実施例１の指先洗浄器の作用を説明するための説明図である。    （ｂ）本発明の実施例１の指先洗浄器の作用を説明するための説明図である。    （ｃ）本発明の実施例１の指先洗浄器の作用を説明するための説明図である。    （ｄ）本発明の実施例１の指先洗浄器の作用を説明するための説明図である。
【図１４】（ａ）本発明の実施例１の指先洗浄器の作用を説明するための説明図である。    （ｂ）本発明の実施例１の指先洗浄器の作用を説明するための説明図である。    （ｃ）本発明の実施例１の指先洗浄器の作用を説明するための説明図である。    （ｄ）本発明の実施例１の指先洗浄器の作用を説明するための説明図である。
【図１５】（ａ）本発明の実施例１の指先洗浄器の作用を説明するための説明図である。    （ｂ）本発明の実施例１の指先洗浄器の作用を説明するための説明図である。    （ｃ）本発明の実施例１の指先洗浄器の作用を説明するための説明図である。    （ｄ）本発明の実施例１の指先洗浄器の作用を説明するための説明図である。
【図１６】（ａ）本発明の実施例１の指先洗浄器の別の構成のブラシ体を有する第１ブラシ盤の背面図である。    （ｂ）図１６ａの模式図である。    （ｃ）図１６ａのＧ−Ｇ線端面図である。    （ｄ）図１６ａのＨ−Ｈ線端面図である。    （ｅ）本発明の実施例１の指先洗浄器の別の構成のブラシ体を有する第２ブラシ盤の正面図である。    （ｆ）図１６ｅの模式図である。    （ｇ）図１６ｅのＩ−Ｉ線端面図である。    （ｈ）図１６ｅのＪ−Ｊ線端面図である。
【図１７】（ａ）本発明の実施例１の指先洗浄器の別の構成の第１蓋体部の正面図である。    （ｂ）本発明の実施例１の指先洗浄器の別の構成の第２蓋体部の正面図である。
【符号の説明】
【００６０】
１        第１蓋体部
１１      基板
１２      側壁
１３      指孔
１３ａ    フランジ
１３ｖ    指孔
１３ｖａ  フランジ
１４      指孔
１４ａ    フランジ
１５      指孔
１５ａ    フランジ
１６      指孔
１６ａ    フランジ
１７      指孔
１７ａ    フランジ
１８      中央隔壁
１８ａ    固定部
１８ｂ    固定部
１ｖ      第１蓋体部
２        第２蓋体部
２１      基板
２２      側壁
２３      指孔
２３ａ    フランジ
２３ｖ    指孔
２３ｖａ  フランジ
２４      指孔
２４ａ    フランジ
２５      指孔
２５ａ    フランジ
２６      指孔
２６ａ    フランジ
２７      指孔
２７ａ    フランジ
２８      中央隔壁
２８ａ    固定部
２８ｂ    固定部
２ｖ      第２蓋体部
３        第１ブラシ盤
３１      基板
３２      植毛基部
３３      中央凹部
３４      中心孔
３５      周辺部
３６      固定部
３７      固定部
３８      挿通孔
３９      挿通孔
３ｖ      第１ブラシ盤
４        第２ブラシ盤
４１      基板
４２      植毛基部
４３      中央凹部
４４      中心孔
４５      周辺部
４６      挿通孔
４７      挿通孔
４８      固定部
４９      固定部
４ｖ      第２ブラシ盤
５        枢軸
５１      先端部
５２      係止部
５３      挿通部
５４      尾部
５５      リング
５５ａ    断裂部
６        連結軸
７        連結軸
８        連結軸
９        連結軸
Ｂ１      ブラシ体
Ｂ２      ブラシ体
Ｂｖ１    ブラシ体
Ｂｖ２    ブラシ体
Ｄ１      長さ
Ｄ２      長さ
Ｄ３      長さ
Ｄ４      長さ
Ｄ５      長さ
Ｄ６      長さ
Ｄ７      長さ
Ｄ８      長さ
Ｆ        指先洗浄器
Ｌ        領域
Ｓ        領域
Ｘ        方向
Ｘ１      中心線
Ｘ１１    線
Ｘ２      中心線
Ｘ２１    線
Ｘ３      中心線
Ｘ３１    線
Ｘ３２    線
Ｘ４１    線
Ｘ４２    線
Ｙ        方向
ｂ        毛束
ｂｌ      毛束
ｂｓ      毛束
ｃ１      中心
ｃ１３    中心
ｃ２      中心
ｃ２３    中心
ｃ３      中心
ｃ３８    中心
ｃ３９    中心
ｃ４６    中心
ｃ４７    中心
ｃ５      中心
ｃ６      中心
ｃ７      中心
ｃ８      中心
ｃ９      中心
ｃｈ１    中心
ｃｈ２    中心
ｃｈ３    中心
ｃｈ４    中心
ｃｈ５    中心
ｃｈ６    中心
ｃｈ７    中心
ｃｈ８    中心
ｈ１      固定孔
ｈ２      固定孔
ｈ３      固定孔
ｈ４      固定孔
ｈ５      固定孔
ｈ６      固定孔
ｈ７      固定孔
ｈ８      固定孔
α１      角度
α２      角度
β１      角度
β２      角度
γ１      角度
【図１】
2009005893.tif 000003
【図２】
2009005893.tif 000004
【図３】
2009005893.tif 000005
【図４】
2009005893.tif 000006
【図７】
2009005893.tif 000007
【図１３】
2009005893.tif 000008
【図１４】
2009005893.tif 000009
【図１５】
2009005893.tif 000010
【図１７】
2009005893.tif 000011
【図５】
2009005893.tif 000012
【図６】
2009005893.tif 000013
【図８】
2009005893.tif 000014
【図９】
2009005893.tif 000015
【図１０】
2009005893.tif 000016
【図１１】
2009005893.tif 000017
【図１２】
2009005893.tif 000018
【図１６】
2009005893.tif 000019